(57)【特許請求の範囲】
【請求項１】
プレビュー画像を表示するための画面を生成する画像生成装置であって、
印刷設定を取得する印刷設定取得部と、
取得した前記印刷設定が予め決められた印刷設定であるかどうかを判断する印刷設定判断部と、
前記取得した印刷設定が予め決められた印刷設定であると判断した場合に、取得した前記印刷設定に基づいて前記画面に表示する設定ボタンを決定する設定ボタン決定部と、
決定した前記設定ボタンを表示する領域を決定する設定ボタン領域決定部と、
決定した前記設定ボタンを表示する領域に基づいて、前記プレビュー画像を表示する領域を決定するプレビュー表示領域決定部と、
前記設定ボタンを表示する領域と、前記プレビュー画像を表示する領域に表示する画像を生成することで、前記プレビュー画像を表示するための前記画面を生成する画面生成部とを
備えることを特徴とする画像生成装置。
【請求項２】
前記設定ボタン決定部は、前記取得した印刷設定が予め決められた印刷設定である場合に、前記予め決められた印刷設定以外で前記画面に表示される設定ボタンの数よりも少なくなるように、前記画面に表示される設定ボタンを決めることを特徴とする請求項１に記載の画像生成装置。
【請求項３】
前記予め決められた印刷設定が、長尺用紙を使用する印刷設定であり、
設定ボタン決定部は、少なくも、後処理の方法に関する設定ボタンと、一枚の用紙に対して複数の画像ページを配置する方法に関する設定ボタンと、印刷面に関する設定ボタンのいずれかを除く設定ボタンを前記画面表示する設定ボタンとして決定することを特徴とする請求項１または２に記載の画像生成装置。
【請求項４】
前記予め決められた印刷設定が、リングバインダーを使用する印刷設定であり、
設定ボタン決定部は、少なくも、リングバインダー以外の後処理の方法に関する設定ボタンを除く設定ボタンを前記画面表示する設定ボタンとして決定することを特徴とする請求項１または２に記載の画像生成装置。
【請求項５】
前記設定ボタン領域決定部は、前記プレビュー画像の基となる印刷データにおける画像の方向に応じて、前記設定ボタンを表示する領域を決定する請求項１〜４のいずれか一項に記載の画像生成装置。
【請求項６】
プレビュー画像を表示するための画面を生成する画像生成装置に、
印刷設定を取得するステップと、
取得した前記印刷設定が予め決められた印刷設定であるかどうかを判断するステップと、
前記取得した印刷設定が予め決められた印刷設定であると判断した場合に、取得した前記印刷設定に基づいて前記画面に表示する設定ボタンを決定するステップと、
決定した前記設定ボタンを表示する領域を決定するステップと、
決定した前記設定ボタンを表示する領域に基づいて、前記プレビュー画像を表示する領域を決定するステップと、
前記設定ボタンを表示する領域と、前記プレビュー画像を表示する領域に表示する画像を生成することで、前記プレビュー画像を表示するための前記画面を生成するステップとを
実行させる画像生成装置の制御プログラム。
【請求項７】
プレビュー画像を表示するための画面を生成する画像生成装置の制御方法であって、
印刷設定を取得するステップと、
取得した前記印刷設定が予め決められた印刷設定であるかどうかを判断するステップと、
前記取得した印刷設定が予め決められた印刷設定であると判断した場合に、取得した前記印刷設定に基づいて前記画面に表示する設定ボタンを決定するステップと、
決定した前記設定ボタンを表示する領域を決定するステップと、
決定した前記設定ボタンを表示する領域に基づいて、前記プレビュー画像を表示する領域を決定するステップと、
前記設定ボタンを表示する領域と、前記プレビュー画像を表示する領域に表示する画像を生成することで、前記プレビュー画像を表示するための前記画面を生成するステップとを
含む画像生成装置の制御方法。
【発明の詳細な説明】
【技術分野】
【０００１】
本発明は、画像生成装置、画像生成装置の制御プログラム、画像生成装置の制御方法に関する。
【背景技術】
【０００２】
商業用プリンター（ＰＰ機：Ｐｒｏｄｕｃｔｉｏｎ Ｐｒｉｎｔｅｒ）においては、出力した印刷出力が商品として出荷されることが多いため、印刷出力に高い品質が求められる。このため、商業用プリンターを含むシステムは、完成した印刷物の様子を表す画像（プレビュー画像）と印刷設定の変更を受け付けるための設定ボタンとを含むプレビュー確認画面を表示する機能（プレビュー表示機能）を備えるものが多い。ユーザーは、プレビュー表示機能を利用して、印刷前に、完成した印刷出力の様子を確認し、印刷出力の品質をチェックすることができる。
【０００３】
このようなプレビュー表示機能に関しては、例えば特許文献１があり、当該特許文献１では、画像の表示機能を持つ表示装置と、前記表示装置の表示面を、画像のプレビュー領域とその他の領域とに分割して表示を制御するための分割手段とを含み、前記分割手段は、前記プレビュー領域と前記その他の領域との面積比が第１の値である第１の表示モードと、前記第１の表示モードにおけるよりも前記その他の領域の面積が縮小され、前記プレビュー領域の面積が拡大される第２の表示モードとを、ユーザーの指示に応じて切替える、表示機器が開示されている。
【先行技術文献】
【特許文献】
【０００４】
【特許文献１】特開２０１２−００３７４５号公報
【発明の概要】
【発明が解決しようとする課題】
【０００５】
ここで、商業用プリンターに用いられる用紙の一例として長尺用紙があるが、従来のプレビュー表示機能を長尺用紙に適用すると、プレビュー画像が大幅に縮小されることでプレビュー画像の粒度（精度）が粗くなるため、ユーザーは、所望の粒度で印刷出力の様子を確認することができないという問題がある。
【０００６】
また、商業用プリンターには、穴をあけた複数枚の印刷出力をリングバインダーで綴じて出力する、リングバインド機能を備えるものがある。リングバインド機能を利用する場合は、リングバインダーを通すための穴に、印刷された画像が重なってしまうと、印刷出力の品質が著しく低下してしまうため、プレビュー表示機能を利用して、リングバインダーを通すための穴と印刷される画像との位置関係を細かい粒度で確認する必要がある。しかし、従来のプレビュー表示機能では、所定の倍率でプレビュー画像が縮小されて表示されるため、ユーザーは、所望の粒度で印刷出力の様子を確認することができないという問題がある。
【０００７】
このように、印刷出力の様子を確認するときにユーザーが所望する粒度と実際に表示されるプレビュー画像の粒度との不一致は、印刷設定に応じてプレビュー画像の粒度が粗くなることに起因するものと、プレビュー画像の粒度は変わらないものの印刷設定に応じてユーザーが所望する粒度が細かくなることに起因するものとがある。
【０００８】
それに対し、前述の特許文献１には、ユーザーの指示に応じて表示モードを切り替えることは開示されているものの、印刷設定に応じて発生する、ユーザーが所望する粒度と実際に表示されるプレビュー画像の粒度との不一致については全く考慮されていなかった。
【０００９】
なお、ここまで商業用プリンターの問題について説明してきたが、印刷設定に応じて、ユーザーが所望する粒度と実際に表示されるプレビュー画像の粒度とに不一致が発生するという問題は、商業用プリンター以外の、例えば、オフィス内で用いられる複合機やプリンター、個人が利用するプリンター等を含む画像形成装置全般に共通するものである。
【００１０】
本発明は、上記問題を鑑みてなされたものであって、印刷設定に応じて発生する、ユーザーが所望する粒度と実際に表示されるプレビュー画像の粒度との不一致を抑制することのできる画像生成装置、画像生成装置の制御プログラム、画像生成装置の制御方法の提供を目的とする。
【課題を解決するための手段】
【００１１】
（１）プレビュー画像を表示するための画面を生成する画像生成装置であって、印刷設定を取得する印刷設定取得部と、取得した印刷設定が予め決められた印刷設定であるかどうかを判断する刷設定判断部と、取得した印刷設定が予め決められた印刷設定であると判断した場合に、取得した印刷設定に基づいて画面に表示する設定ボタンを決定する設定ボタン決定部と、決定した設定ボタンを表示する領域を決定する設定ボタン領域決定部と、決定した設定ボタンを表示する領域に基づいて、プレビュー画像を表示する領域を決定するプレビュー表示領域決定部と、設定ボタンを表示する領域と、プレビュー画像を表示する領域に表示する画像を生成することで、プレビュー画像を表示するための画面を生成する画面生成部とを備えることを特徴とする画像生成装置。
【００１２】
（２）設定ボタン決定部は、取得した印刷設定が予め決められた印刷設定である場合に、予め決められた印刷設定以外で画面に表示される設定ボタンの数よりも少なくなるように、画面に表示される設定ボタンを決めることを特徴とする上記（１）に記載の画像生成装置。
【００１３】
（３）予め決められた印刷設定が、長尺用紙を使用する印刷設定であり、設定ボタン決定部は、少なくも、後処理の方法に関する設定ボタンと、一枚の用紙に対して複数の画像ページを配置する方法に関する設定ボタンと、印刷面に関する設定ボタンのいずれかを除く設定ボタンを画面表示する設定ボタンとして決定することを特徴とする上記（１）または（２）に記載の画像生成装置。
【００１４】
（４）予め決められた印刷設定が、リングバインダーを使用する印刷設定であり、設定ボタン決定部は、少なくも、リングバインダー以外の後処理の方法に関する設定ボタンを除く設定ボタンを画面表示する設定ボタンとして決定することを特徴とする上記（１）または（２）に記載の画像生成装置。
【００１５】
（５）設定ボタン領域決定部は、プレビュー画像の基となる印刷データにおける画像の方向に応じて、設定ボタンを表示する領域を決定することを特徴とする上記（１）〜（４）のいずれか一項に記載の画像生成装置。
【００１６】
（６）プレビュー画像を表示するための画面を生成する画像生成装置に、印刷設定を取得するステップと、取得した印刷設定が予め決められた印刷設定であるかどうかを判断するステップと、取得した印刷設定が予め決められた印刷設定であると判断した場合に、取得した印刷設定に基づいて画面に表示する設定ボタンを決定するステップと、決定した設定ボタンを表示する領域を決定するステップと、決定した設定ボタンを表示する領域に基づいて、プレビュー画像を表示する領域を決定するステップと、設定ボタンを表示する領域と、プレビュー画像を表示する領域に表示する画像を生成することで、プレビュー画像を表示するための画面を生成するステップとを実行させる画像生成装置の制御プログラム。
【００１７】
（７）プレビュー画像を表示するための画面を生成する画像生成装置の制御方法であって、印刷設定を取得するステップと、取得した印刷設定が予め決められた印刷設定であるかどうかを判断するステップと、取得した印刷設定が予め決められた印刷設定であると判断した場合に、取得した印刷設定に基づいて画面に表示する設定ボタンを決定するステップと、決定した設定ボタンを表示する領域を決定するステップと、決定した設定ボタンを表示する領域に基づいて、プレビュー画像を表示する領域を決定するステップと、設定ボタンを表示する領域と、プレビュー画像を表示する領域に表示する画像を生成することで、プレビュー画像を表示するための画面を生成するステップとを含む画像生成装置の制御方法。
【発明の効果】
【００１８】
本発明に係る画像生成装置、画像生成装置の制御プログラム、画像生成装置の制御方法は、印刷設定を取得し、取得した印刷設定が予め決められた印刷設定であるかどうかを判断し、取得した印刷設定が予め決められた印刷設定であると判断した場合に、取得した印刷設定に基づいて画面に表示する設定ボタンを決定し、決定した設定ボタンを表示する領域を決定し、決定した設定ボタンを表示する領域に基づいて、プレビュー画像を表示する領域を決定し、設定ボタンを表示する領域と、プレビュー画像を表示する領域に表示する画像を生成することで、プレビュー画像を表示するための画面を生成するので、印刷設定に応じて発生する、ユーザーが所望する粒度と実際に表示されるプレビュー画像の粒度との不一致を抑制することができる。
【図面の簡単な説明】
【００１９】
【図１】本発明の実施形態に係る画像形成装置１の全体構成を示す図である。
【図２】本発明の実施形態に係る画像形成装置１のハードウェアブロック図である。
【図３】本発明の実施形態に係る画像形成装置１が備える制御部２２がプレビュー確認画面を操作表示部３４に表示する機能に関する機能ブロック図である。
【図４】第１のプレビュー確認画面４５を示す操作画面の図である。
【図５】第２のプレビュー確認画面５０を示す操作画面の図である。
【図６】印刷設定と設定ボタンとを対応付けたテーブルである。
【図７】本発明に実施形態に係る画像形成装置１が実行するプレビュー画像を表示する処理に関するフローチャートである。
【図８】第１のプレビュー確認画面生成処理に関するサブルーチンである。
【図９】第２のプレビュー確認画面生成処理に関するサブルーチンである。
【図１０】リングバインドに関する第２のプレビュー確認画面５１を示す操作画面の図である。
【図１１】（ａ）は、１つのプレビュー画像を分割し、ｂ軸に沿って並列に並べた第２のプレビュー確認画面である。（ｂ）は、設定ボタンの配置を第１のプレビュー画像での設定ボタンの配置と変更した第２のプレビュー確認画面である。
【発明を実施するための形態】
【００２０】
従来技術で述べたように、従来のプレビュー表示機能においては、印刷設定に応じて、ユーザーが所望する粒度と実際に表示されるプレビュー画像の粒度との間に不一致が生ずるという問題点があった。
【００２１】
本発明に係る、プレビュー画像を表示するための画面（プレビュー確認画面）を生成する画像生成装置は、取得した印刷設定が予め決められた印刷設定であるかどうかを判断し、取得した印刷設定が予め決められた印刷設定であると判断した場合に、取得した印刷設定に基づいて画面に表示する設定ボタンを決定し、決定した設定ボタンを表示する領域と、プレビュー画像を表示する領域とを決定し、設定ボタンを表示する領域と、プレビュー画像を表示する領域に表示する画像を生成することで、印刷プレビューを表示するための画面を生成する。
【００２２】
（実施形態）
図１は、本発明に係る画像生成装置の一実施形態としての、画像形成装置１の全体構成を示す図である。画像形成装置１は、コピージョブ、プリントジョブ、スキャンジョブ、ファクスジョブ、ボックスジョブを実行することができる、所謂、複合機（ＭＦＰ：Ｍｕｌｔｉ  Ｆｕｎｃｔｉｏｎ  Ｐｅｒｉｐｈｅｒａｌ）である。ボックスジョブとは、画像形成装置１が備えるボックス（フォルダー）に記憶されたデータを用いて実行されるジョブである。
【００２３】
画像形成装置１は、主に、画像形成部２、自動原稿搬送部３、原稿読取部４、給紙部５、排紙部２１、後処理部２０から構成され、印刷設定に基づいて画像形成を実行する。印刷設定は、画像形成に関する複数の設定項目に対応する設定値の集まりのことをいう。
【００２４】
自動原稿搬送部３は、原稿台上に載置された原稿を、原稿読取部４の読取位置に自動的に搬送する。
【００２５】
原稿読取部４は、自動原稿搬送部３により搬送された原稿の画像を読み取り、読取データを生成する。
【００２６】
給紙部５は、複数の給紙トレイ６ａ〜６ｃを備え、それぞれの給紙トレイ６ａ〜６ｃに収容された用紙を画像形成部２に対して供給する。
【００２７】
画像形成部２は、原稿読取部４が生成した読取データ、又は後述するデータＩＦ（Ｉｎｔｅｒｆａｃｅ）部が取得した印刷データに基づいて、給紙部５により供給される用紙に対し画像形成を行う。
【００２８】
画像形成部２は、Ｙ（イエロー）色、Ｍ（マゼンタ）色、Ｃ（シアン）色、Ｋ（ブラック）色（以下、Ｙ色〜Ｋ色の様に示すことがある。）それぞれに対応する、感光体７、帯電部８、像露光部９、現像部１０、１次転写部１１、クリーニング部１２を備える。また、画像形成部２は、Ｙ色〜Ｋ色で共通の、中間転写体１３と、レジストローラー対１４、２次転写部１５、定着部１６を備える。
【００２９】
以下、Ｙ色に対応する、感光体７、帯電部８、像露光部９、現像部１０、１次転写部１１、クリーニング部１２について説明する。帯電部８は感光体７を帯電する。像露光部９は、レーザー光を照射することで、帯電された感光体７に静電潜像を形成する。現像部１０は、感光体７に形成された静電潜像に対応するトナー像を感光体７上に現像する。１次転写部１１は、感光体７上に現像されたトナー像を中間転写体１３に１次転写する。クリーニング部１２は、中間転写体１３に転写されずに感光体７上に残ったトナーを、感光体７上から除去する。
【００３０】
Ｍ色〜Ｋ色に対応する、感光体７、帯電部８、像露光部９、現像部１０、１次転写部１１、クリーニング部１２についても、対応する画素のトナー像が重なるようにタイミングを合わせて、前述のＹ色と同様の動作が行われ、中間転写体１３上にＹ色〜Ｋ色のトナー像が形成される。
【００３１】
レジストローラー対１４は、給紙部５から供給される用紙の斜行補正を行ない、中間転写体１３上に転写されたトナー像が用紙上の所定位置にくるようタイミングを合わせて、用紙を２次転写部１５に搬送する。２次転写部１５は、中間転写体１３上のトナー像を用紙上に２次転写する。
【００３２】
定着部１６は、用紙上に転写されたトナー像を定着させる。定着部１６は、加熱ローラー１７、加圧ローラー１８、搬送ローラー１９を備える。加熱ローラー１７と加圧ローラー１８とは圧接されてニップ部（定着ニップ部）が形成されており、定着ニップ部に用紙を通すことでトナー像が定着される。搬送ローラー１９は、トナー像が定着された用紙を下流へ搬送する。
【００３３】
定着部１６により、おもて面にトナー像が定着された用紙は、片面印刷時にはそのまま後処理部２０に排紙され、両面印刷時には、反転搬送路を経由して再度２次転写部１５に搬送され、うら面への画像形成が行われた後、後処理部２０に搬送される。
【００３４】
後処理部２０は、印刷設定に応じて、定着部１６から搬送された用紙に対して、折り／ステープル／穴あけ／製本／リングバインド等の後処理を施して排紙トレイに排紙する。リングバインドとは、印刷後の用紙に孔をあけた上で、複数枚の用紙をリングバインダーで綴じて出力する処理のことをいう。
【００３５】
なお、後処理部２０は、画像形成装置１と別体の装置としての後処理装置として構成されてもよい。その場合に、後処理装置は、画像形成装置１と連結して設置され、画像形成装置１により画像形成された用紙が自動的に搬送される形態で利用されてもよいし、画像形成装置１と離された場所に設置され、画像形成装置１により画像形成された用紙をユーザーが後処理装置まで搬送する形態（オフライン）で利用されてもよい。
【００３６】
図２は、本発明の実施形態に係る画像形成装置１のハードウェアブロック図である。
【００３７】
画像形成装置１は、制御部２２、記憶部２３、画像処理部２４、自動原稿搬送部３、原稿読取部４、画像形成部２、給紙部５、データＩＦ部３０、操作表示部３４を含み、それらがバス１００で接続されている。
【００３８】
制御部２２は、主としてＣＰＵ（Ｃｅｎｔｒａｌ  Ｐｒｏｃｅｓｓｉｎｇ  Ｕｎｉｔ）から構成されており、後述する記憶部２３に記憶されたプログラムを実行し、記憶部２３、画像処理部２４、自動原稿搬送部３、原稿読取部４、画像形成部２、給紙部５、データＩＦ部３０、を制御することで、画像形成装置１の機能を実現する。
【００３９】
記憶部２３は、主として、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｃ  Ｄｒｉｖｅ）を備える。記憶部２３は、制御部２２が実行するプログラムを含む、画像形成装置１の機能を実現するために必要なデータや、ジョブに関するデータを記憶する。ジョブに関するデータには印刷設定も含まれる。なお、ＨＤＤはボックスとしての機能も実現する。
【００４０】
データＩＦ部３０は、外部の装置（例えば、ＰＣ（Ｐｅｒｓｏｎａｌ  Ｃｏｍｐｕｔｅｒ）などの情報機器装置）又は記憶メディアとの間で、データ等の送受信を行うものであり、ＬＡＮ（Ｌｏｃａｌ  Ａｒｅａ  Ｎｅｔｗｏｒｋ）ＩＦ部３１、記憶メディアＩＦ部３２、ＦＡＸＩＦ部３３を含む。ＬＡＮＩＦ部３１は、有線又は無線方式のＬＡＮを介して、ＬＡＮに接続されたサーバーや、ＰＣ、携帯端末、他の画像形成装置との間でデータの送受信を行う。ＬＡＮＩＦ部３１は、サーバーや、ＰＣ、携帯端末等から指示されるプリントジョブについて、サーバーや、ＰＣ、携帯端末等から、印刷設定を受信（取得）することができる。記憶メディアＩＦ部３２は、可搬性記憶メディア（例えば、ＵＳＢ（Ｕｎｉｖｅｒｓａｌ  Ｓｅｒｉａｌ  Ｂｕｓ）メモリー）からデータを取得し、又は可搬性記憶メディアにデータを記憶させる。記憶メディアＩＦ部３２は、可搬性記憶メディアに記憶されたデータに関するプリントジョブについて、可搬性記憶メディアからプリントジョブに関する印刷設定を取得することができる。ＦＡＸＩＦ部３３は、ファクス回線を介してファクスデータの送受信を行う。
【００４１】
画像形成部２は、主として、感光体７、帯電部８、像露光部９、現像部１０、１次転写部１１、クリーニング部１２、中間転写体１３、レジストローラー対１４、２次転写部１５、定着部１６、排紙部２１により構成され、後述する画像処理部２４が出力する画像データに基づいて用紙に対する画像形成を行う。
【００４２】
後処理部２０は、印刷設定に応じて、定着部１６から搬送される用紙に対して、折り／ステープル／穴あけ／製本／リングバインド等の後処理を施して排出する。
【００４３】
操作表示部３４は、ディスプレイ３５、タッチパネル３６、操作キー３７を備える。
【００４４】
ディスプレイ３５は、例えば、液晶ディスプレイ（ＬＣＤ（Ｌｉｑｕｉｄ  Ｃｒｙｓｔａｌ  Ｄｉｓｐｌａｙ））であり、操作画面を表示することができる。操作画面は、例えば、プレビュー画像と設定ボタンとを表示する画面（プレビュー確認画面）がある。
【００４５】
タッチパネル３６は、ディスプレイ３５の画面上に設けられ、ペンや指等で押下された座標位置を検知する。
【００４６】
操作キー３７は、例えばハードキーであり、テンキー、スタートキーを含む。テンキーは数字や記号の入力を受け付けるためのキーである。スタートキーは画像形成装置１の動作開始の指示を受け付ける。
【００４７】
操作表示部３４は、コピージョブ、プリントジョブ、ファクスジョブ、ボックスジョブについて、印刷設定に含まれる、複数の設定項目に対応する設定値の入力や変更を受け付けることができる。つまり、操作表示部３４は、コピージョブ、プリントジョブ、ファクスジョブ、ボックスジョブに関する印刷設定を取得することができる。
【００４８】
画像処理部２４は、例えば、ＦＰＧＡ（Ｆｉｅｌｄ  Ｐｒｏｇｒａｍｍａｂｌｅ  Ｇａｔｅ  Ａｒｒａｙ）やＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の画像処理用の集積回路であって、ＬＡＮＩＦ部３１や記憶メディアＩＦ部３２が取得した印刷データや、ＦＡＸＩＦ部３３が取得したファクスデータ、原稿読取部４が生成した読取データを入力データとし、入力データに対して印刷設定に基づいた画像処理を行い、画像データを画像形成部２に対して出力する。また画像処理部２４は、入力データに対して印刷設定に基づいた画像処理を行い、後述するプレビュー確認画面に表示するためのプレビュー画像を生成する。
【００４９】
画像処理部２４は、入力データ解析部２５、ラスターデータ生成部２６、シャープネス補正部２７、色変換部２８、ガンマ補正部２９を備える。
【００５０】
入力データ解析部２５は、入力データが、ＬＡＮＩＦ部３１や記憶メディアＩＦ部３２が取得したＰＤＬ（Ｐａｇｅ  Ｄｅｓｃｒｉｐｔｉｏｎ  Ｌａｎｇｕａｇｅ）形式の印刷データであった場合、印刷データに基づいて解析処理を行い、中間言語（ＤＬ：Ｄｉｓｐｌａｙ  Ｌｉｓｔ）データを生成する。なお、印刷データの形式は、ＰＤＬ形式に限らず、その他の形式をとることもできる。
【００５１】
ラスターデータ生成部２６は、入力データ解析部２５が解析し、生成したＤＬデータに対して、ラスタライズ処理を行うことで、ラスターデータを生成する。シャープネス補正部２７は、ラスターデータ生成部２６が生成したラスターデータ又は原稿読取部４が生成した読取データに対して、シャープネス処理やスムージング処理を行う。シャープネス補正部２７は、例えば、文字領域や線画領域のエッジ部分にシャープネス処理を行い、網点領域にスムージング処理を行う。
【００５２】
色変換部２８は、シャープネス補正部２７の処理結果に対して色変換処理を行い、画像形成部２の色特性（色空間）に対応したＹＭＣＫデータを生成する。色変換部２８は、画像処理部２４に入力される入力データの色特性（色空間）に対応するデバイスリンクプロファイルを用いて、画像形成部２の色特性に対応したＹＭＣＫデータを生成する。例えば、入力データが、原稿読取部４が生成した読取データである場合は、原稿読取部４の色特性と画像形成部２の色特性に対応するデバイスリンクプロファイルを用いてＹＭＣＫデータを生成する。
【００５３】
ガンマ補正部２９は、色変換部２８が生成したＹＭＣＫデータに対し、濃度変換処理を行う。例えば、ガンマ補正部２９は、濃度変換用のルックアップテーブル（ＬＵＴ：Ｌｏｏｋ  Ｕｐ  Ｔａｂｌｅ）を記憶しており、色変換部２８が生成したＹＭＣＫデータに基づいて、濃度変換処理を行い、画像データを生成する。
【００５４】
図３は、本発明の実施形態に係る画像形成装置１の制御部２２が、プレビュー確認画面を生成する機能に関する機能ブロック図である。
【００５５】
印刷設定取得部３８は、実行するジョブに対応する印刷設定を取得する。例えば、印刷設定取得部３８は、実行するジョブがプリントジョブである場合、ＬＡＮＩＦ部３１や記憶メディアＩＦ部３２、操作表示部３４を介して、印刷設定を取得することができる。また、印刷設定取得部３８は、実行するジョブがコピージョブやファクスジョブ、ボックスジョブである場合、操作表示部３４を介して印刷設定を取得することができる。取得された印刷設定は記憶部２３に記憶される。
【００５６】
印刷設定判断部３９は、印刷設定取得部３８が取得した印刷設定が予め決められた印刷設定であるか否かを判断する。印刷設定判断部３９は、画像形成に関する複数の設定項目のうちの１つである「用紙サイズ」の設定値が長尺用紙である場合に、取得した印刷設定が予め決められた印刷設定であると判断する。また、印刷設定判断部３９は、設定項目の１つである「リングバインド」の設定値が、リングバインドを利用するものである場合に、取得した印刷設定が予め決められた印刷設定であると判断する。
【００５７】
設定ボタン決定部４０は、印刷設定判断部３９が、印刷設定が予め決められた印刷設定であると判断した場合に、取得した印刷設定に基づいて、プレビュー確認画面に表示する設定ボタンを決定する。
【００５８】
記憶部２３は、図６のような、印刷設定と、複数の設定項目のそれぞれに関する設定値の変更の許否とを対応づけたテーブルを記憶している。図６のテーブルでは、設定値の変更が許可される設定項目を「○」、設定値の変更が禁止される設定項目を「×」で表している。ここで、設定値の変更が禁止される設定項目は、取得した印刷設定に含まれる設定値とコンフリクトが生じる可能性がある、所謂、組合せ禁止の関係にあるものである。
【００５９】
例えば、用紙サイズの設定値が長尺である印刷設定の場合は、図６のテーブルにおいて、上から順に、部数からパンチ有無に関する設定値の変更が許可され、印刷面から下の設定項目に関する設定値の変更が禁止される。また、リングバインドの設定値がリングバインドを利用するものである印刷設定の場合は、図６のテーブルにおいて上から順に、部数から分版印刷に関する設定値の変更が許可され、排紙トレイから下の設定項目に関する設定値の変更が禁止される。
【００６０】
設定ボタン決定部４０は、印刷設定が予め決められた印刷設定であった場合に、図６のテーブルを参照し、設定値の変更が許可される設定項目に対応する設定ボタンをプレビュー確認画面に表示する設定ボタンとして決定する。具体的には、用紙サイズの設定値が長尺である印刷設定の場合は、図６のテーブルにおいて上から順に、部数からパンチ有無に対応する設定ボタンをプレビュー確認画面に表示する設定ボタンとして決定する。また、リングバインドの設定値がリングバインドを利用するものである印刷設定の場合は、図６のテーブルにおいて上から順に、部数から分版印刷に対応する設定ボタンをプレビュー確認画面に表示する設定ボタンとして決定する。なお、印刷設定が予め決められた印刷設定でないと判断した場合には、図６のテーブルに含まれる全ての設定項目に対応する設定ボタンがプレビュー確認画面に表示される。
【００６１】
設定ボタン領域決定部４１は、設定ボタン決定部４０が決定した設定ボタンについて、それぞれの設定ボタンを表示する領域（設定ボタン領域４６）を決定する。ここで、記憶部２３には、各設定項目に対応する設定ボタンのサイズやプレビュー確認画面のサイズに関する情報が予め記憶されている。設定ボタン領域決定部４１は、記憶部２３に記憶された各設定項目に対応する設定ボタンのサイズと、プレビュー確認画面のサイズと、設定ボタン決定部４０が決定した設定ボタンとに基づいて、設定ボタン領域４６を決定する。なお、後述するように、プレビュー確認画面に設定ボタンを表示するときには、設定ボタンと併せて、その設定ボタンの設定項目の現在の設定値を表示してもよいし、現在の設定値は表示せずに設定ボタンのみを表示してもよい。設定ボタン領域決定部４１は、設定ボタンと設定値とを併せて表示する場合には、各設定項目について、設定ボタンと設定値の両方を表示するための領域を設定ボタン領域として決定する。
【００６２】
図６において「分類」として示すように、設定項目は、機能に応じて予めグループ分けされている。設定ボタン領域決定部４１は、同じグループに属する設定項目に対応する設定ボタンが、プレビュー確認画面上でまとまって表示されるように、設定ボタン領域４６を決定してもよい。
【００６３】
プレビュー画像領域決定部４２は、設定ボタン領域４６に基づいて、プレビュー画像を表示する領域（プレビュー画像領域４９）を決定する。より詳細には、プレビュー画像領域決定部４２は、プレビュー確認画面のうち、設定ボタン領域決定部４１が決定した設定ボタン領域４６以外の領域からプレビュー画像領域４９を決定する。つまり、プレビュー画像領域決定部４２は、設定ボタン領域決定部４１が決定した設定ボタン領域４６に基づいてプレビュー画像領域４９を決定する。
【００６４】
画面生成部４３は、設定ボタン領域４６とプレビュー画像領域４９とに表示する画像を生成することで、プレビュー確認画面を生成する。より詳細には、画面生成部４３は、設定ボタン領域４６に表示する設定ボタンの画像（設定ボタン画像）と、プレビュー画像領域４９に表示するプレビュー画像とを生成し、設定ボタン画像とプレビュー画像とを合成して、プレビュー確認画面を生成する。
【００６５】
画面表示部４４は、画面生成部４３が生成したプレビュー確認画面を操作表示部３４に表示する。
【００６６】
図４は、取得した印刷設定が予め決められた印刷設定でない場合に操作表示部３４に表示されるプレビュー確認画面（以下、第１のプレビュー確認画面４５と呼ぶ。）を示す図であり、図５は、取得した印刷設定が予め決められた印刷設定である場合に操作表示部３４に表示されるプレビュー確認画面（以下、第２のプレビュー確認画面５０と呼ぶ。）を示す図である。
【００６７】
図４を参照して、第１のプレビュー確認画面４５は、設定ボタン領域４６と、プレビュー画像領域４９とを含む。図４では、各設定項目について、設定ボタンと設定値の両方を表示した場合の例が示されており、それぞれの設定項目について、設定ボタンを表示する領域を設定ボタン部４７、設定値を表示する領域を設定値表示部４８としている。ユーザーは、ある設定項目に対応する設定値を変更したい場合、設定ボタン部４７を押下することで、設定値を変更することができる。例えば、ユーザーが用紙トレイを変更したい場合、ユーザーが「用紙トレイ」の設定ボタンを押下すると、他のトレイ（例えば、手差し、トレイ１、トレイ２等）への変更を受け付ける受付手段（例えば、ドロップリストやポップアップ等）が表示され、その受付手段を介して、ユーザーは用紙トレイの設定値を変更することができる。設定値が変更された場合、その内容は設定値表示部４８に反映される。
【００６８】
図５は、取得した印刷設定が、用紙サイズの設定値が長尺である印刷設定である場合に操作表示部３４に表示される、第２のプレビュー確認画面５０を示す。第２のプレビュー確認画面５０は、設定ボタン領域４６と、プレビュー画像領域４９とを含む。図５では、各設定項目について、設定ボタンと設定値の両方を表示した場合の例が示されており、それぞれの設定項目について、設定ボタンを表示する領域を設定ボタン部４７、設定値を表示する領域を設定値表示部４８としている。
【００６９】
図４の第１のプレビュー確認画面４５と、図５の第２のプレビュー確認画面５０とを比較すると、図５の第２のプレビュー確認画面５０では、出力設定１、出力設定２、応用設定及び印刷面の分類（図６参照）に属する設定項目に対応する設定ボタンが表示されていない。つまり、画像形成装置１は、少なくも、出力設定１、出力設定２、応用設定及び印刷面の分類（図６参照）に属する設定項目に対応する設定ボタンを除く設定ボタンと、プレビュー画像と含む第２のプレビュー確認画面５０に表示する。
【００７０】
図５の様な第２のプレビュー確認画面５０を生成するとき、設定ボタン領域決定部４１は、設定ボタン決定部が表示すると決定した設定ボタンが表示されるように設定ボタン領域４６を決定する。そして、プレビュー画像領域決定部４２は、プレビュー確認画面のうちの、設定ボタン領域４６以外の他の領域からプレビュー画像領域４９を決定する。画面生成部４３は、設定ボタン領域４６の大きさに対応し、基本設定、用紙設定、画質調整及びその他の設定の分類ごとに集約した設定ボタン画像と、プレビュー画像領域４９の大きさに対応するプレビュー画像とを生成し、設定ボタン画像とプレビュー画像とを合成することにより、第２のプレビュー確認画面５０を生成する。
【００７１】
第１のプレビュー確認画面４５において、出力設定１、出力設定２、応用設定及び印刷面の分類に属する設定項目に対応する設定ボタンに割り当てられていた領域を、第２のプレビュー確認画面５０においては、プレビュー画像を表示する領域に割り当てることができる。そのため、第２のプレビュー確認画面５０のプレビュー画像を、第１のプレビュー確認画面４５のプレビュー画像よりも大きく表示することができる。
【００７２】
長尺用紙を使用する場合には変更が許可される設定項目が大幅に限定されるところ、長尺印刷の印刷設定に関するプレビュー画像を表示するとき、変更が禁止された設定項目に関する設定ボタンを表示しないことにより、プレビュー画像を従来と比較して大きく表示することができる。それにより、ユーザーは所望の粒度に近い粒度で、完成した印刷出力の様子を確認することができる。
【００７３】
本件発明は、従来のプレビュー表示機能を長尺用紙に適用すると、プレビュー画像が大幅に縮小されることでプレビュー画像の粒度が粗くなり、ユーザーが所望の粒度で印刷出力の様子を確認することができないという問題に対し、長尺用紙を使用する場合には変更が許可される設定項目が限られていることに着目し、変更が禁止された設定項目に関する設定ボタンを表示しないことにより、プレビュー画像を従来と比較して大きく表示することを狙ったものである。
【００７４】
一方で、画像形成装置においては、長尺用紙に限らず、印刷する用紙のサイズが所定サイズ以上になると、変更が許可される設定項目が大幅に限定される。よって、印刷設定判断部３９における判断基準して、「用紙サイズ」の設定値が長尺用紙であるか否かという基準に代えて、またはそれに加えて、「用紙サイズ」の設定値が所定サイズ以上であるか否かという基準を用いることもできる。
【００７５】
図１０は、取得した印刷設定が、リングバインドの設定値がリングバインドを利用するものである印刷設定である場合に操作表示部３４に表示される、第２のプレビュー確認画面５１を示す。リングバインドを利用する場合には、図６を参照して、排紙トレイから下の、出力設定２の分類に属する設定項目に関する設定値の変更が禁止されるため、図１０においては、図４の第１のプレビュー確認画面４５と比較して、出力設定２に関する設定ボタンが表示されていない。
【００７６】
図１０の様な、リングバインドに関する第２のプレビュー確認画面５１を表示するとき、設定ボタン領域決定部４１は、基本設定、用紙設定、印刷面、応用設定及び出力設定１の分類に属する設定項目に対応する設定ボタンについて、同一の分類に属する設定項目に対応する設定ボタンが、プレビュー確認画面上でまとまって表示されるように、設定ボタン領域４６を決定する。そして、プレビュー画像領域決定部４２は、プレビュー確認画面のうちの、設定ボタン領域４６以外の他の領域からプレビュー画像領域４９を決定する。画面生成部４３は、設定ボタン領域４６の大きさに対応する設定ボタン画像と、プレビュー画像領域４９の大きさに対応するプレビュー画像とを生成し、設定ボタン画像とプレビュー画像とを合成することにより、図１０の様なリングバインドに関する第２のプレビュー確認画面５１を生成する。
【００７７】
リングバインド機能を利用するときには、リングバインダーを通すための穴と印刷される画像との位置関係を細かい粒度で確認する必要があるところ、第１のプレビュー確認画面４５と比較して、プレビュー画像が大きく表示されるため、ユーザーは所望の粒度に近い粒度で、完成した印刷出力の様子を確認することができる。
【００７８】
リングバインドを使用する場合には変更が許可される設定項目が大幅に限定されるところ、リングバインドの印刷設定に関するプレビュー画像を表示するとき、変更が禁止された設定項目に関する設定ボタンを表示しないことにより、プレビュー画像を従来と比較して大きく表示することができる。それにより、ユーザーは所望の粒度に近い粒度で、完成した印刷出力の様子を確認することができる。
【００７９】
また、図５、１０のいずれの場合においても、第２のプレビュー確認画面では、設定値の変更が許可された設定項目に関する設定ボタンは表示されるため、設定値を変更するときのユーザーの操作性を低下させることがない。また、第２のプレビュー確認画面では、設定値の変更が禁止された設定項目に関する設定ボタンは表示されないため、ユーザーは、設定値を変更しようとする設定項目に関する設定ボタンを探すときに、対象の設定ボタンを容易に見つけることができ、ユーザーの操作性が向上する。
【００８０】
図７，８，９は、本発明に実施形態に係る画像形成装置１が実行するプレビュー画像を表示する処理に関するフローチャートである。制御部２２は、記憶部２３に記憶されるプログラムを実行することにより、図７，８，９に示す処理を実行する。
【００８１】
画像形成装置１は、実行するジョブに関する印刷設定を取得し（ステップＳ１０１）、取得した印刷設定が予め決められた印刷設定であるか否かを判断する（ステップＳ１０２）。
【００８２】
画像形成装置１は、取得した印刷設定が予め決められた印刷設定ではないと判断した場合（ステップＳ１０２でＮＯ）、第１のプレビュー確認画面を生成する（ステップＳ１０３）。
【００８３】
図８は、ステップＳ１０３の第１のプレビュー確認画面を生成処理に関するサブルーチンを示す。
【００８４】
図８を参照して、画像形成装置１は、複数の設定項目の全てに対応する設定ボタンを操作表示部３４に表示する設定ボタンとして決定し（ステップＳ２０１）。決定した設定ボタンを表示するための設定ボタン領域４６を決定する（ステップＳ２０２）。画像形成装置１は、プレビュー確認画面のうち、ステップＳ２０２で決定した設定ボタン領域４６以外の領域からプレビュー画像領域４９を決定する（ステップＳ２０３）。画像形成装置１は、設定ボタン領域４６の大きさに対応する設定ボタン画像と、プレビュー画像領域４９の大きさに対応するプレビュー画像とを生成することで、図４のような第１のプレビュー確認画面４５を生成し、図７のステップＳ１０５の処理に進む（ステップＳ２０４）。
【００８５】
図７を参照して、画像形成装置１は、生成した第１のプレビュー確認画面４５を操作表示部３４に表示し（ステップＳ１０５）、処理を終了する（ＥＮＤ）。
【００８６】
一方、画像形成装置１は、取得した印刷設定が予め決められていた印刷設定であると判断した場合（ステップＳ１０２でＹＥＳ）、第２のプレビュー確認画面を生成する（ステップＳ１０４）。
【００８７】
図９は、ステップＳ１０４の第２のプレビュー確認画面を生成する処理に関するサブルーチンを示す。
【００８８】
図９を参照して、画像形成装置１は、記憶部２３に予め記憶された図６に示すようなテーブルに基づいて操作表示部３４に表示する設定ボタンを決定する（ステップＳ３０１）。例えば、画像形成装置１は、取得した印刷設定が用紙サイズの設定値が長尺である印刷設定であった場合、図６を参照して、基本設定及び用紙設定の分類に属する設定項目に対応する設定ボタンを操作表示部３４に表示する設定ボタンとして決定する。また、画像形成装置１は、取得した印刷設定がリングバインドの設定値がリングバインドを利用するものである印刷設定であった場合、図６を参照して、基本設定、用紙設定、印刷面、応用設定、出力設定１の分類に属する設定項目に対応する設定ボタンを操作表示部３４に表示する設定ボタンとして決定する。
【００８９】
画像形成装置１は、ステップＳ３０１決定した設定ボタンを表示するための設定ボタン領域４６を決定し（ステップＳ３０２）、プレビュー確認画面のうち、ステップＳ２０２で決定した設定ボタン領域４６以外からプレビュー画像領域４９を決定する（ステップＳ３０３）。画像形成装置１は、設定ボタン領域４６の大きさに対応する設定ボタン画像と、プレビュー画像領域４９の大きさに対応するプレビュー画像とを生成することで、図５のような第２のプレビュー確認画面５０を生成し、図７のステップＳ１０５の処理に進む（ステップ３０４）。
【００９０】
図７を参照して、画像形成装置１は、生成した第２のプレビュー確認画面５０を操作表示部３４に表示し（ステップＳ１０５）、処理を終了する（ＥＮＤ）。
【００９１】
この様にして、本発明の実施形態に係る画像形成装置１は、取得した印刷設定が予め決められた印刷設定である場合、第２のプレビュー確認画面５０を生成する。第２のプレビュー確認画面５０のプレビュー画像は、第１のプレビュー確認画面４５では表示させていた設定ボタンの内、予め決められた印刷設定で変更できない設定ボタンを表示しない領域と、第１のプレビュー確認画面４５のプレビュー画像領域４９とを合わせた領域に表示される。従って、第２のプレビュー確認画面５０に表示されるプレビュー画像は、少なくとも第１のプレビュー確認画面４５に表示されるプレビュー画像よりもよりも大きいプレビュー画像を表示するので、ユーザーは所望の粒度に近い粒度で、完成した印刷出力の様子を確認することができる。
【００９２】
さらに、第２のプレビュー確認画面では、設定値の変更が許可された設定項目に関する設定ボタンは表示されるため、設定値を変更するときのユーザーの操作性を低下させることがない。また、第２のプレビュー確認画面では、設定値の変更が禁止された設定項目に関する設定ボタンは表示されないため、ユーザーは、設定値を変更しようとする設定項目に関する設定ボタンを探すときに、対象の設定ボタンを容易に見つけることができ、ユーザーの操作性が向上する。
【００９３】
前述の説明では、本発明に係る画像生成装置の一例として画像形成装置１を説明したが、本発明に係る画像生成装置は画像形成装置１に限定されない。少なくとも、制御部２２と記憶部２３を備え、プレビュー確認画面を生成できる装置であればよく、例えば、ＰＣ（Ｐｅｒｓｏｎａｌ  Ｃｏｍｐｕｔｅｒ）やプリントサーバー、スマートフォン、タブレットの端末装置でもよい。ＰＣ（Ｐｅｒｓｏｎａｌ  Ｃｏｍｐｕｔｅｒ）やプリントサーバー、スマートフォン、タブレットが画像生成装置となる場合には、ＰＣやプリントサーバー、スマートフォン、タブレットが、プリンタードライバやプリントジョブ管理ソフト等のアプリケーションを実行することにより、図３に示す、プレビュー確認画面を生成する機能を実現する。
【００９４】
（変形例１）
前述の実施形態では、長尺用紙の設定がなされている場合、プレビュー画像領域４９において、１つの画像としてプレビュー画像を表示させているが、本変形例では、図１１（ａ）に示すように、画像を用紙の長手方向に分割し、分割した画像を、プレビュー画像領域４９に並べて表示する。
【００９５】
この様にすることで、プレビュー画像をより大きく表示することができ、ユーザーが所望する粒度により近い粒度でプレビュー画像を表示させることができる。
【００９６】
また、図１１（ａ）においては、画像を二分割する例を記載したが、画像を３つ以上に分割して、分割した３つの画像を並べて表示するようにしてもよい。
【００９７】
また、画像を分割する方法として、等間隔に分割することもできるし、印刷される画像に応じて分割位置を決定（変更）することもできる。具体的には、印刷される１つの文字や図形、写真が分割されて表示されてしまうと、ユーザーが印刷出力の様子を確認しづらくなるおそれがあるため、文字や図形、写真が分割されないように、画像の分割位置を決定してもよい。また、印刷される画像に応じて分割位置を決定することに代えて、分割位置の近傍の領域を、分割された画像の双方に重複して含めるようにしてもよい。
【００９８】
（変形例２）
前述の実施形態において、設定ボタン領域決定部４１は、第２のプレビュー確認画面５０で表示される設定ボタンの配置を、第１のプレビュー確認画面４５で表示される設定ボタンの配置をベースに決定していた。つまり、第２のプレビュー確認画面５０で表示される設定ボタンについては、第１のプレビュー確認画面４５と第２のプレビュー確認画面との間で、配置について大きな違いはなかった。
【００９９】
しかし、設定ボタン領域決定部４１は、プレビュー画像をより大きく表示できるように、設定ボタン領域を決定することもできる。例えば、画像を分割せずに表示することを考えたときに、図５のように第２のプレビュー確認画面５０の縦方向に沿って設定ボタンを配置したよりも、図１１（ｂ）のように第２のプレビュー確認画面５０の横方向に沿って設定ボタンを配置したほうがプレビュー画像をより大きく表示できる場合には、設定ボタン領域決定部４１は、第２のプレビュー確認画面５０の横方向に沿って設定ボタンを配置するように、設定ボタン領域を決定する。
【０１００】
（他の変形例）
前述した実施形態及び変形例１〜３は、個別に説明したが、適宜組み合わせて実施されてもよい。
【０１０１】
また、前述の説明においては、最初に表示するプレビュー確認画面を表示する場合について説明したが、画像形成装置１は、第１のプレビュー確認画面上で、用紙サイズの設定値を長尺に変更する操作を行ったり、リングバインドの設定値を、リングバインドを利用するものに変更する操作を行った場合に、ユーザーのそれら操作に対応して、第１のプレビュー確認画面から第２のプレビュー確認画面５０に表示を変更してもよい。また逆に、画像形成装置１は、第２のプレビュー確認画面５０を表示しているときに、図５において、用紙サイズの設定値を長尺以外に変更する操作を行ったり、リングバインドの設定値をリングバインドを利用しないものに変更する操作を行った場合に、ユーザーのそれら操作に対応して、第２のプレビュー確認画面から第１のプレビュー確認画面５０に表示を変更してもよい。
【０１０２】
また、前述の説明においては、取得した印刷設定が予め決められた印刷設定であったことを受けて、設定ボタン決定部がプレビュー確認画面に表示する設定ボタンを決定し、設定ボタン領域決定部が設定ボタン領域を決定し、プレビュー画像領域決定部がプレビュー画像領域を決定し、画面生成部がプレビュー確認画面を生成するものとしたが、印刷設定の種類毎に対応させたプレビュー確認画面を記憶部２３に予め記憶させておき、取得した印刷設定に対応するプレビュー確認画面から取得することにより、取得した印刷設定に対応するプレビュー確認画面を生成するようにしてもよい。この場合には、印刷設定の種類毎に対応させたプレビュー確認画面を記憶部２３に予め記憶させておき、取得した印刷設定に対応するプレビュー確認画面から取得する処理（機能）が、設定ボタン決定部と、設定ボタン領域決定部、プレビュー画像領域決定部、画面生成部として機能する。
【０１０３】
また、画像形成装置１は、設定項目のそれぞれについてユーザーが設定値を変更したか否かの履歴を記憶しておき、設定値が変更される頻度の低い設定項目については、対応する設定ボタンを、第２のプレビュー確認画面５０に表示させないようにしてもよい。
【０１０４】
また、画像形成装置１は、第１のプレビュー確認画面４５または第２のプレビュー確認画面５０に設定ボタンを表示させる設定項目の選択をユーザーから受け付け、ユーザーにより選択されなかった設定項目に対応する設定ボタンについては、第１のプレビュー確認画面４５または第２のプレビュー確認画面５０に表示させないようにしてもよい。
【０１０５】
また、前述の説明においては、取得した印刷設定が所定の印刷設定である場合に、設定値の変更が禁止された設定項目に対応する設定ボタンを完全に表示しないものとしたが、設定値の変更が禁止された設定項目に対応する設定ボタンのサイズを小さくしたり、設定値の変更が禁止された設定項目に対応する設定ボタンの上に重ねて設定値の変更が許可された設定項目に対応する設定ボタンを表示することにより、第２のプレビュー確認画面５０のプレビュー画像を、第１のプレビュー確認画面４５のプレビュー画像よりも大きく表示するようにしてもよい。
【符号の説明】
【０１０６】
１        画像形成装置
２        画像形成部
３        自動搬送装置
４        原稿読取部
５        給紙部
６        給紙トレイ
７        感光体
８        帯電部
９        像露光部
１０      現像部
１１      １次転写部
１２      クリーニング部
１３      中間転写体
１４      レジストローラー対
１５      ２次転写部
１６      定着部
１７      加熱ローラー
１８      加圧ローラー
１９      搬送ローラー
２０      後処理部
２１      排紙部
２２      制御部
２３      記憶部
２４      画像処理部
２５      入力データ解析部
２６      ラスターデータ生成部
２７      シャープネス補正部
２８      色変換部
２９      ガンマ補正部
３０      データＩＦ部
３１      ＬＡＮＩＦ部
３２      記憶メディアＩＦ部
３３      ＦＡＸＩＦ部
３４      操作表示部
３５      ディスプレイ
３６      タッチパネル
３７      操作キー
３８      印刷設定取得部
３９      印刷設定判断部
４０      設定ボタン決定部
４１      設定ボタン領域決定部
４２      プレビュー画像領域決定部
４３      画面生成部
４４      画面表示部
４５      第１のプレビュー確認画面
４６      設定ボタン領域
４７      設定ボタン部
４８      設定値表示部
４９      プレビュー確認画面
５０      第２のプレビュー確認画面
５１      リングバインドに関する第２のプレビュー確認画面
【図１】
0006435951.tif 000002
【図２】
0006435951.tif 000003
【図３】
0006435951.tif 000004
【図４】
0006435951.tif 000005
【図５】
0006435951.tif 000006
【図６】
0006435951.tif 000007
【図７】
0006435951.tif 000008
【図８】
0006435951.tif 000009
【図９】
0006435951.tif 000010
【図１０】
0006435951.tif 000011
【図１１】
0006435951.tif 000012